(57)【要約】      （修正有）【課題】触感による使用感を著しく変更することなく、バランスや重さが変更可能な新規構造をもつダーツのバレルを提供する。【解決手段】バレル２２に前後を貫通する孔２２ａを設け、円柱状の重り２５を貫通孔２２ａに挿入することを特徴とし、前記バレル２２の貫通孔２２ａの内面にネジヤマ（メスネジ）を設け、前記円柱状の重り２５の外周部にネジヤマ（オスネジ）を設けたことを特徴とするダーツのバレル。【選択図】図４
0003133546.tif 000002
【実用新案登録請求の範囲】
【請求項１】
バレル２２に前後を貫通する孔２２ａを設け、円柱状の重り２５を貫通孔２２ａに挿入することを特徴とするダーツ。
【請求項２】
前記バレル２２の貫通孔２２ａの内面にネジヤマ（メスネジ）を設け、前記円柱状の重り２５の外周部にネジヤマ（オスネジ）を設けたことを特徴とするダーツ。
【請求項３】
前記円柱状の重り２５に溝２５ａを設け、ネジ回しのドライバを用いてバレル２２の貫通孔２２ａに挿入することを特徴とするダーツ。
【請求項４】
円柱状の重り２５を複数用いることで、円柱状の重り２５同士をお互いに締め込むことにより、円柱状の重り２５を任意の位置に固定出来ることを特徴とするダーツ。
【考案の詳細な説明】
【技術分野】
【０００１】  本案件は、主にソフトダーツで使用されるダーツに関する。
【背景技術】
【０００２】  ダーツには大別して、ハードダーツとソフトダーツがある。【０００３】  ハードダーツの矢（以下ハードダーツと言う）とは、麻を圧縮して作られた標的（以下ハードダーツボードと言う）に刺さる金属性の針で作られた矢先部を有したダーツの本体となるバレル部、バレル部とフライト部を繋ぐシャフト部、ダーツの飛び方を安定させる羽の役目をするフライト部から構成される。ハードダーツボードに前記ハードダーツを投的して競う競技に用いられる。【０００４】  ソフトダーツの矢（以下ダーツと言う）とは、樹脂製で作られた無数の細孔が施された標的（以下ソフトダーツボードと言う）に刺さる樹脂製の矢先部（以下チップと言う）、ダーツの本体となるバレル部、バレル部とフライト部を繋ぐシャフト部、ダーツの飛び方を安定させる羽の役目をするフライト部から構成される。ソフトダーツボードに前記ダーツを投的して競う競技に用いられる。【０００５】  ダーツで使用するバレルは、様々な形状があり、重さやバランスも様々である。バランスは大別すると、前方重心、中央重心、及び後方重心があり、ダーツを投げたときの飛び方の特性がそれぞれ違う。
【考案の開示】
【考案が解決しようとする課題】
【０００６】  従来のダーツのバレルであった場合は、購入後にバレルのバランスの変更や重さの増加は出来ない。【０００７】  図１は、従来のダーツの構造である。ダーツ１０のバレル１２の重り部分１２ａは、移動変更することが出来ない。簡易的にダーツ１０全体のバランスを変える為に、シャフト１３を比重の違う素材、例えるならナイロン樹脂・アルミニウム・チタニウム等に変更したり、シャフト１３の全長が長い物や短い物に変更したりすることで、ダーツ１０全体のバランスを変更しようとするが、バランスが大きく変わることは無く、またバレル１２自体の重心より前方（チップ方向）にダーツ１０全体の重心を変更することは出来ない。【０００８】  その為に使用者が所持しているダーツのバレルと違うバランスや重さのダーツを使用したい場合は、別途購入しなくてはならなくなり、費用的にも負担になっている。【０００９】  また、バレルの形状は気に入っているがバランスや重さを変更したい場合は、形状が同じでバランスや重さが違うものがあれば購入することも出来るだろうが、無ければ使用することは出来ない。【００１０】  実情としては、同じメーカーの同じ名称の重さの違うダーツのバレルは、重くなれば全長が伸びる・円周部の直径が太くなる、軽くなれば全長が短くなる・円周部の直径が細くなるという傾向があり、外観まで変わってしまうことがある。【００１１】  ダーツは、指先に神経を使う競技であるために、バレルなどの指先に触れる部分の外観が変わると、触感による使用感が著しく変わってしまう。【００１２】  そこで本考案は、ダーツのバレルの外観を変更することなく触感による使用感を一定に保ち、使用者の意思でバレルのバランスや重さを変更することで、飛び方に対する特性を変えることが出来る構造を持つダーツを提供すること目的とする。
【課題を解決するための手段】
【００１３】  本考案は、バレル２２に前後を貫通する孔２２ａを設け、円柱状の重り（以下ウェイトと言う）２５を貫通孔２２ａに挿入することを特徴とするダーツである。【００１４】  前記バレル２２の貫通孔２２ａの内面にネジヤマ（メスネジ）を設け、前記ウェイト２５の外周部にネジヤマ（オスネジ）を設けたことを特徴とするダーツである。【００１５】  前記ウェイト２５に溝２５ａを設け、ネジ回しのドライバを用いてバレル２２の貫通孔２２ａに挿入することを特徴とするダーツである。【００１６】  前記ウェイト２５を複数用いることで、ウェイト２５同士をお互いに締め込むことにより、ウェイト２５を任意の位置に固定出来ることを特徴とするダーツである。【００１７】  前記ウェイト２５を前記バレル２２の貫通孔２２ａに挿入し、使用者の意図する任意の位置に設定することにより、バランスと重さを変更出来ることを特徴とするダーツである。
【考案の効果】
【００１８】  したがって、本考案のダーツ２０を用いれば多種多様なバランスと重さのセッティングが出来るようになり、使用ダーツを換えずに使用者の意図するバランスと重さのセッティングが実現出来る。
【考案を実施するための最良の形態】
【００１９】  本考案の実施する為の最良の形態を、実施例として以下に説明する。
【実施例】
【００２０】  図１は比較例として従来のダーツの構造図である。図２から図７は本考案の実施例である。【００２１】  ダーツ２０の構成を説明する。本考案のダーツ２０は、ソフトダーツボードに刺さる樹脂製のチップ２１、ダーツの本体であり主に指先で支持されるバレル２２、ダーツのバランスと重さを調節するウェイト２５、バレル２２とフライト２４を繋ぐシャフト２３、ダーツの飛び方を安定させる羽の役目をするフライト２４から構成される。【００２２】  バレル２２にはウェイト２５を挿入する（ねじ込む）為の貫通孔２２ａが設けてあり、貫通孔２２ａの内面にはネジヤマ（メスネジ）が施してある。【００２３】  ウェイト２５の外周部にはネジヤマ（オスネジ）が施してあり、バレル２２の貫通孔２２ａに挿入する（ねじ込む）。【００２４】  ウェイト２５には溝２５ａが設けてあり、ネジ回しのドライバを用いてバレル２２の貫通孔２２ａに挿入する（ねじ込む）。溝２５ａはマイナス形状もしくはプラス形状とし、それぞれに適合するネジ回しのドライバを用いる。【００２５】  ウェイト２５を使用者の任意の位置までバレル２２の貫通孔２２ａに挿入する（ねじ込む）ことによって、使用者の任意の位置にダーツ２０のバランスを変更する。【００２６】  ウェイト２５は、比重の違う素材を用いても良い。例えるなら、タングステン合金・真鍮・ステンレス・アルミニウム・ナイロン樹脂等である。また、比重の違う素材のウェイト２５を組み合わせて使用しても良い。【００２７】  ウェイト２５を重りとして１つ使用するときなどは、ストッパーの役目として比重の軽い、例えるならナイロン樹脂製のウェイト２５を対として使い、位置を固定する。【００２８】  ウェイト２５は、バレル２２にチップ２１及びシャフト２３が装着できる状態であれば、使用者の任意の位置及び個数を使用する。【００２９】  各図を、同一素材のウェイト２５を使用したとして説明する。【００３０】  図３は、ウェイト２５を未使用の状態であり、重量的には軽い状態である。ダーツ２０のバランスは、バレル２２の中心になる。【００３１】  図４は、ウェイト２５を２つ使用し、バレル２２の貫通孔２２ａの中央に配した状態である。図３のものより重くなり、ダーツ２０のバランスは、バレル２２の中央になる。【００３２】  図５は、ウェイト２５を２つ使用し、バレル２２の貫通孔２２ａの前方に配した状態である。図３のものより重くなり、ダーツ２０のバランスは、バレル２２の前方になる。【００３３】  図６は、ウェイト２５を２つ使用し、バレル２２の貫通孔２２ａの後方に配した状態である。図３のものより重くなり、ダーツ２０のバランスは、バレル２２の後方になる。【００３４】  図７は、ウェイト２５を３つ使用し、バレル２２の貫通孔２２ａの中央に配した状態である。図４のものより重くなり、ダーツ２０のバランスは、バレル２２の中央になる。【００３５】  上記のように、本考案のダーツ２０を使用することによって、使用者の意図する様々なバランスや重さのセッティングが可能となる。したがって別途ダーツを購入する必要も無くなる。また、外観を変更することなく触感による使用感を一定に保ち、使用者の意思でダーツ２０のバランスや重さを変更すること���、飛び方に対する特性を変えることが出来る。
【図面の簡単な説明】
【００３６】
【図１】  従来例、重り部が中央の中央重心、一部断面全体図。
【図２】  本考案の実施例、一部断面分解図。
【図３】  本考案の実施例、ウェイト未使用の中央重心、一部断面全体図。
【図４】  本考案の実施例、ウェイト２つ使用の中央重心、一部断面全体図。
【図５】  本考案の実施例、ウェイト２つ使用の前方重心、一部断面全体図。
【図６】  本考案の実施例、ウェイト２つ使用の後方重心、一部断面全体図。
【図７】  本考案の実施例、ウェイト３つ使用の中央重心、一部断面全体図。
【符号の説明】
【００３７】  １０    ダーツ
１１    チップ
１２    バレル
１３    シャフト
１４    フライト
２０    ダーツ
２１    チップ
２２    バレル
２３    シャフト
２４    フライト
２５    ウェイト
【図１】
0003133546.tif 000003
【図２】
0003133546.tif 000004
【図３】
0003133546.tif 000005
【図４】
0003133546.tif 000006
【図５】
0003133546.tif 000007
【図６】
0003133546.tif 000008
【図７】
0003133546.tif 000009
【手続補正書】
【提出日】平成19年4月3日(2007.4.3)
【手続補正１】
【補正対象書類名】実用新案登録請求の範囲
【補正対象項目名】請求項２
【補正方法】変更
【補正の内容】
【請求項２】
バレル２２の貫通孔２２ａの内面にメスネジのネジヤマを設け、円柱状の重り２５の外周部にオスネジのネジヤマを設けたことを特徴とする請求項１に記載のダーツ。
【手続補正２】
【補正対象書類名】実用新案登録請求の範囲
【補正対象項目名】請求項３
【補正方法】変更
【補正の内容】
【請求項３】
円柱状の重り２５に溝２５ａを設け、ネジ回しのドライバを用いてバレル２２の貫通孔２２ａに挿入することを特徴とする請求項１に記載のダーツ。
【手続補正３】
【補正対象書類名】実用新案登録請求の範囲
【補正対象項目名】請求項４
【補正方法】変更
【補正の内容】
【請求項４】
円柱状の重り２５を複数用いることで、円柱状の重り２５同士をお互いに締め込むことにより、円柱状の重り２５を任意の位置に固定し、重量及びバランスを調節出来ることを特徴とする請求項１に記載のダーツ。